(57)【要約】【課題】確実かつ容易にモップの拭き材を清掃することができる集塵装置を提供すること。【解決手段】柄部の基端に拭き材を有するモップを起立状態で収納可能なモップ収納部と、前記モップ収納部内に収納されたモップの拭き材と対向するように設けられた吸込口と、前記吸込口と第１通風経路を介して連通する集塵部と、前記集塵部と第２通風経路を介して連通する排気口と、前記第２通風経路に設けられた電動送風機とを備え、  前記モップ収納部は、上方開口状のモップ挿入口と、前記モップ挿入口とは反対側に設けられた底部と、前記底部と前記モップ挿入口との間に設けられた内周壁部とを有し、  前記内周壁部に前記吸込口が設けられていることを特徴とする集塵装置。【選択図】図５
2020014802.tif 000002
【特許請求の範囲】
【請求項１】
柄部の基端に拭き材を有するモップを起立状態で収納可能なモップ収納部と、前記モップ収納部内に収納されたモップの拭き材と対向するように設けられた吸込口と、前記吸込口と第１通風経路を介して連通する集塵部と、前記集塵部と第２通風経路を介して連通する排気口と、前記第２通風経路に設けられた電動送風機とを備え、
前記モップ収納部は、上方開口状のモップ挿入口と、前記モップ挿入口とは反対側に設けられた底部と、前記底部と前記モップ挿入口との間に設けられた内周壁部とを有し、
前記内周壁部に前記吸込口が設けられていることを特徴とする集塵装置。
【請求項２】
前記モップ収納部は、前記モップの前記拭き材の長手方向の寸法よりも深い深さ寸法を有する請求項１に記載の集塵装置。
【請求項３】
前記吸込口は、前記モップ収納部内に収納された前記モップの前記拭き材の上端部近傍から下端部近傍に亘る範囲内に設けられており、
前記第１通風経路は、前記集塵装置と連通可能な導入路と、前記範囲に設けられた前記吸込口と前記導入路とを連通させるダクト部とを有し、
前記導入路は、前記ダクト部の上下方向の中間位置よりも下方に配置されている請求項２に記載の集塵装置。
【請求項４】
前記内周壁部が、複数の方向に面する複数の内面を有し、
前記吸込口が、前記複数の内面にそれぞれ設けられている請求項１〜３のいずれか１つに記載の集塵装置。
【請求項５】
前記モップ収納部内に収納された前記モップの前記拭き材に擦りつけられて前記拭き材に付着した塵埃を払い落とす複数の突起が、前記吸込口の近傍に設けられている請求項１〜４のいずれか１つに記載の集塵装置。
【請求項６】
前記電動送風機に商用電源からの電力を供給する電源コードと、前記電源コードを外部に引き出し可能に収納する電源コード収納部とをさらに備え、
前記電源コード収納部は、上方開口部と、前記上方開口部とは反対側に設けられた底部と、前記底部と前記上方開口部との間に設けられた内周壁部とを有し、
前記内周壁部に前記排気口が設けられている請求項１〜５のいずれか１つに記載の集塵装置。
【発明の詳細な説明】
【技術分野】
【０００１】
本発明は、集塵装置に関し、詳しくは、モップを収納しながらモップの拭き材に付着した塵埃を除去し捕集することができる集塵装置に関する。
【背景技術】
【０００２】
床面上を拭き掃除したモップの房糸に付着した塵埃を除去する装置として、例えば、特許文献１に記載の掃除機および特許文献２に記載のモップクリーナーが公知である。
特許文献１の掃除機は、収納ケースの内部に吸引装置および集塵パックが備えられ、収納ケースの前面パネルの下部の吸引開口部に櫛歯状部材が設けられている。
特許文献１の掃除機によれば、床面上を乾拭きしたモップの房糸を吸引開口部に近づけることにより房糸にて集めた塵埃を吸引すると共に、モップを左右方向に往復移動させながら房糸を櫛歯状部材に擦りつけることにより、房糸に付着した塵埃を払い落として吸引し、塵埃を集塵パック内に捕集することができるとされている。
【０００３】
特許文献２のモップクリーナーは、筐体内に設けられた吸引装置および集塵部と、筐体の上面および前面に設けられたスリット状の第１吸引口および第２吸引口と、第１吸引口および第２吸引の一方と集塵部とが連通するように通風経路を切り換える切換レバーとを備え、第１吸引口の両側には歯状の複数の可撓性板が長手方向に沿って設けられている。
特許文献２のモップクリーナーによれば、床面上を乾拭きしたモップの房糸を第２吸引口に近づけることにより房糸にて集めた塵埃を吸引して集塵部にて捕捉し、その後、切換レバーにて第１吸引口と集塵部とを連通させるように通風経路を切り換え、モップの房糸を筐体の上面に載せた状態で第１吸引口の長手方向と直交する左右方向にモップを往復移動させることにより、房糸に付着した塵埃を第１吸引口から吸引して集塵部にて捕捉することができるとされている。
【先行技術文献】
【特許文献】
【０００４】
【特許文献１】特開２０１２−２４５３１８号公報
【特許文献２】特開２００７−１５１６５５号公報
【発明の概要】
【発明が解決しようとする課題】
【０００５】
特許文献１の掃除機および特許文献２のモップクリーナーでは、ユーザーがモップの房糸を左右方向に往復移動させながら吸引口に擦りつけて房糸に付着した塵埃を吸引除去する際、モップの柄部を握って左右方向に動かしにくく、左右方向にモップを動かす幅が必要であった。
【０００６】
また、特許文献２のモップクリーナーでは、筐体上面の長手方向（左右方向）の寸法がモップの房糸の長手方向の寸法と同等に設定され、かつ長手方向の中間位置に第１吸引口が設けられている。そのため、房糸の長手方向の一端部を第１吸引口に近づけていくと他端部側は筐体からはみ出て宙に浮いた状態となり、そうすると房糸の他端部側が重みで下がり、かつ一端部側が第１吸引口から浮いてしまうという状態となる。この状態では房糸の長手方向の両端部が十分に除塵されなくなると考えられる。さらに、第１吸引口にて房糸の除塵をしている間に、筐体からはみ出た房糸部分から塵埃が床面に落ちた場合、床面に落ちた塵埃を再度第２吸引口にて吸引除去するために切換動作およびモップにて塵埃を第２吸引口へ送る動作が必要となり二度手間となる。また、このモップクリーナーでも左右方向にモップを動かす幅が必要である。
【０００７】
本発明は、このような課題に鑑みなされたものであり、より容易にモップの拭き材を清掃することができる集塵装置を提供することを目的とする。
【課題を解決するための手段】
【０００８】
本発明によれば、柄部の基端に拭き材を有するモップを起立状態で収納可能なモップ収納部と、前記モップ収納部内に収納されたモップの拭き材と対向するように設けられた吸込口と、前記吸込口と第１通風経路を介して連通する集塵部と、前記集塵部と第２通風経路を介して連通する排気口と、前記第２通風経路に設けられた電動送風機とを備え、
前記モップ収納部は、上方開口状のモップ挿入口と、前記モップ挿入口とは反対側に設けられた底部と、前記底部と前記モップ挿入口との間に設けられた内周壁部とを有し、
前記内周壁部に前記吸込口が設けられている集塵装置が提供される。
【発明の効果】
【０００９】
本発明の集塵装置によれば、モップの拭き材をモップ収納部内に挿入し、電動送風機を駆動させながら柄部を上下に動かすことによって、モップ挿入口からモップ収納部内に外気が流入することに加えて拭き材が上下に揺すられるため、拭き材から塵埃が除去されて集塵部内へ送られる。このとき、空気がモップ収納部内へ流れ込む方向である上から下への方向と平行な上下方向に拭き材を揺するため、モップ収納部の外部へ塵埃の飛散を低減し、効率よく拭き材から除去することができる。
【図面の簡単な説明】
【００１０】
【図１】モップを収納した本発明の実施形態１の集塵装置を斜め左上から視た斜視図である。
【図２】実施形態１の集塵装置を右上から視た斜視図である。
【図３】図１の集塵装置から集塵部を取り外した状態を示す斜視図である。
【図４】図１の集塵装置の駆動部の上蓋を取り外した状態を示す斜視図である。
【図５】実施形態１の集塵装置の縦断面構造を示す斜め左上から視た斜視図である。
【図６】実施形態１の集塵装置を正面から視た縦断面図である。
【図７】実施形態１の集塵装置の別の縦断面構造を示す斜め右上から視た斜視図である。
【図８】（Ａ）〜（Ｅ）は実施形態１の集塵装置における突起付き吸込口プレートの各種断面形状を示す説明図である。
【図９】実施形態１の集塵装置に収納可能なモップの起立状態を示す正面図である。
【図１０】図９のモップの下端部側を示す斜視図である。
【図１１】実施形態１における集塵部の斜視図である。
【図１２】実施形態２の集塵装置における突起付き吸込口プレートを示す斜視図である。
【図１３】実施形態３の集塵装置における突起付き吸込口プレートを示す斜視図である。
【図１４】本発明の実施形態４の集塵装置を斜め左上から視た斜視図である。
【図１５】実施形態４の集塵装置を正面から視た縦断面図である。
【図１６】実施形態４の集塵装置における突起付き吸込口プレートを示す斜視図である。
【図１７】実施形態４の集塵装置に収納可能なモップの下端部側を示す斜視図である。
【発明を実施するための形態】
【００１１】
（実施形態１）
図１はモップを収納した本発明の実施形態１の集塵装置を斜め左上から視た斜視図であり、図２は実施形態１の集塵装置を右上から視た斜視図であり、図３は図１の集塵装置から集塵部を取り外した状態を示す斜視図であり、図４は図１の集塵装置の駆動部の上蓋を取り外した状態を示す斜視図である。また、図５は実施形態１の集塵装置の縦断面構造を示す斜め左上から視た斜視図であり、図６は実施形態１の集塵装置を正面から視た縦断面図であり、図７は実施形態１の集塵装置の別の縦断面構造を示す斜め右上から視た斜視図であり、図８（Ａ）〜（Ｅ）は実施形態１の集塵装置における突起付き吸込口プレートの各種断面形状を示す説明図である。なお、図１において、前後方向を矢印Ｘ、左右方向を矢印Ｙ、上下方向を矢印Ｚで示している。
【００１２】
図１〜図７に示すように、この集塵装置１は、電動送風機１２を備えた駆動部１０と、駆動部１０に着脱可能に装着される集塵部とを備える。なお、実施形態１では、集塵部としてサイクロン方式のダストカップユニット２０を採用した場合を例示しているが、集塵部はサイクロン方式に限定されるものではない。
ここで、図１に示す駆動部１０の後述の排気口１１ｅ2が設けられた面が左面、左面の右隣が前面、前面の右隣が右面、右面の右隣が後面である。
【００１３】
＜駆動部について＞
駆動部１０は、筐体１１と、筐体１１内に設けられた電動送風機１２と、筐体１１の上面に設けられた電源スイッチ１３と、電動送風機１２に商用電源からの電力を供給する電源コード１４（図７参照）とを有する。
この筐体１１は、立方体の１つの角部を欠いた外観形状を有し、モップＭを起立状態で収納可能なモップ収納部１１ａと、モップ収納部１１ａ内に収納されたモップＭの後述する床面拭き材Ｍｃ（拭き材の一例、図９、図１０参照）と対向するように設けられた吸込口１１ｂと、吸込口１１ｂと第１通風経路１１ｃを介して連通する集塵部としてのダストカップユニット２０と、ダストカップユニット２０と第２通風経路１１ｄを介して連通する排気口１１ｅ1、１１ｅ2と、ダストカップユニット２０を着脱可能に装着する装着部１１ｆと、電源コード１４を収納可能な電源コード収納部１１ｇとを備え、電動送風機１２は第２通風経路１１ｄに設けられている。なお、実施形態１の場合、筐体１１は、上方開口容器形の下部材１１Ｘと、下部材１１Ｘの上方開口部を覆う上部材１１Ｙとを有してなる。
【００１４】
モップ収納部１１ａは、正面から視て、筐体１１の右側の手前位置に設けられた上方開口状の縦長形凹部であって、メイン収納部１１ａ1とサブ収納部１１ａ2とを有してなる。
メイン収納部１１ａ1は、平面視Ｔ形の上方開口状のモップ挿入口１１ａ11と、モップ挿入口１１ａ11とは反対側に設けられた底部１１ａ12と、底部１１ａ12とモップ挿入口１１ａ11との間に設けられた内周壁部１１ａ13と、内周壁部１１ａ13の一部に設けられた段部１１ａ14とを有する。
サブ収納部１１ａ2は、上方に開口した円筒形に形成されている。
【００１５】
また、メイン収納部１１ａ1は、後述するモップＭの保持プレートＭｂおよび床面拭き材Ｍｃを収納可能な深い部分と、モップＭの柄部Ｍａの第２部材Ｍａ2を収納可能な浅い部分（段部１１ａ14側の部分）とを有する。なお、メイン収納部１１ａ1の深い部分は内周壁部１１ａ13の前面、左面、後面、後方右面および前方右面によって包囲され、メイン収納部１１ａ1の浅い部分は内周壁部１１ａ13の前面、右面および後面によって包囲されている。
【００１６】
平面視Ｔ形のメイン収納部１１ａ1において、その前後方向幅は短手方向の長さよりも少し大きく、かつ深い部分の左右方向幅はモップＭの保持プレートＭｂおよび床面拭き材Ｍｃの厚み合計よりも少し大きく設定されている。そのため、メイン収納部１１ａ1はその内部に入れたモップＭの保持プレートＭｂを上下に動かせるガイドとしての役割も担うことができる。
【００１７】
ここで、モップ収納部１１ａに収納可能なモップＭについて説明する。
図９は実施形態１の集塵装置に収納可能なモップの起立状態を示す正面図であり、図１０は図９のモップの下端部側を示す斜視図である。
このモップＭは、二本に分割可能な柄部Ｍａと、柄部Ｍａの下端部に揺動可能に設けられた長方形の保持プレートＭｂと、保持プレートＭｂに設けられた拭き材の一例である床面拭き材Ｍｃとを備える。なお、床面拭き材Ｍｃは床面掃除用に限定されるものではなく、壁面や天井等を拭き掃除する場合にも使用可能である。
柄部Ｍａは、上端部にグリップＭａ11を有する上側の第１部材Ｍａ1と、第１部材Ｍａ1の下端部を挿入可能な挿入孔Ｍａ21を有する下側の第２部材Ｍａ2とを有する。
【００１８】
第２部材Ｍａ2において、その上端部の外周壁には外周面から内周面まで貫通する係止孔Ｍａ22が設けられている。
第１部材Ｍａ1において、その下端部には、第２部材Ｍａ2の挿入孔Ｍａ21に差し込まれることによって係止孔Ｍａ22に係脱可能に係止する係止ボタンＭａ12が設けられている。この係止ボタンＭａ12は、バネによって係止孔Ｍａ22に係止する方向へ付勢されており、指で係止ボタンＭａ12を押して係止孔Ｍａ22から離脱させかつ第１部材Ｍａ1を引っ張ることにより第２部材Ｍａ2から引き抜くことができる。
【００１９】
また、第２部材Ｍａ2において、その下端部Ｍａ23は二股に分かれている。
保持プレートＭｂは、上面に設けられた左右一対の突起部Ｍｂ1と、左右一対の突起部Ｍｂ1の間に設けられた左右方向の第１軸部Ｍｂ2と、第１軸部Ｍｂ2に前後方向に揺動可能（回動可能）に枢着された揺動片Ｍｂ3と、揺動片Ｍｂ3の先端部と第２部材Ｍａ2の二股状の下端部Ｍａ23とを互いに左右方向（矢印Ｋ方向）に揺動可能（回動可能）に連結する前後方向の第２軸部Ｍｂ4とを有する。なお、ここで言う「左右方向」および「前後方向」とは、モップＭを使用するユーザーを基準にした左右方向および前後方向である。
【００２０】
床面拭き材Ｍｃは、例えば、保持プレートＭｂと同等のサイズで形成されたプレート状基材に毛足の短い房糸またはタオル生地状シートが設けられたものであり、プレート状基材が保持プレートＭｂの下面に着脱可能に取り付けられている。
このように構成されたモップＭによれば、柄部Ｍａの第１部材Ｍａ1と第２部材Ｍａ2とを分割し、第１部材Ｍａ1を駆動部１０のサブ収納部１１ａ2内に差し入れて収納し、第２部材Ｍａ2と保持プレートＭｂとを互いに平行状に折り畳み（図１０）、保持プレートＭｂをメイン収納部１１ａ1内に差し入れて収納することができる。このとき、メイン収納部１１ａ1内の段部１１ａ14に第２部材Ｍａ2の下端部Ｍａ23が近接し、底部１１ａ12に保持プレートＭｂの下端部が当接する。
【００２１】
また、このようにモップＭを駆動部１０に収納する前には、柄部Ｍａを分割しない状態で保持プレートＭｂをメイン収納部１１ａ1内に差し入れ、柄部Ｍａを上下に移動させながら電動送風機１２を駆動することによって床面拭き材Ｍｃの清掃を行うことができる。なお、床面拭き材Ｍｃの清掃について詳しくは後述する。
【００２２】
図５と図６に示すように、駆動部１０のメイン収納部１１ａ1内にモップＭの保持プレートＭｂが収納された状態において、モップＭの床面拭き材Ｍｃと対向するメイン収納部１１ａ1の内周壁部１１ａ13の一部には、上下複数段の通風口１１ａ131が設けられている。
また、この上下複数段の通風口１１ａ131が設けられた内周壁部１１ａ13の内側には、上下複数段の吸込口１１ｂおよび突起１５ａを有する突起付き吸込口プレート１５が設けられている。この突起１５ａは、メイン収納部１１ａ1内に収納されたモップＭの床面拭き材Ｍｃに擦りつけられて床面拭き材Ｍｃに付着した塵埃を払い落とす（除去する）役割を担う。
【００２３】
突起付き吸込口プレート１５は、メイン収納部１１ａ1内における通風口１１ａ131が設けられた内周壁部１１ａ13に沿って上下方向に設けられた前後一対のガイド溝１１ａ132(図４参照)に嵌め込まれることにより、出し入れ可能に取り付けられている。
【００２４】
図８（Ａ）〜（Ｅ）に示すように、突起付き吸込口プレート１５は、例えば、金属プレートを金型にて所定形状に打ち抜いて複数の横長の吸込口１１ｂを形成した後、各吸込口１１ｂの下端縁を直角に折り曲げて細い板状の突起１５ａを形成することにより製造することができる。あるいは、樹脂の射出成型により製造することができる。この際、突起１５ａの先端形状を半球形（図８（Ａ））、矩形（図８（Ｂ））、角部が丸い矩形（図８（Ｃ））、三角形（図８（Ｄ））および頂部が丸い三角形（図８（Ｅ））に形成することができる。
先端形状が丸い突起１５ａでは床面拭き材Ｍｃのダメージを軽減することができ、先端形状が角張った突起１５ａでは床面拭き材Ｍｃの除塵効果を高くすることができる。
【００２５】
メイン収納部１１ａ1内において、突起付き吸込口プレート１５の複数の吸込口１１ｂは、メイン収納部１１ａ1内に収納されたモップＭの床面拭き材Ｍｃの上端部Ｍｃ1近傍から下端部Ｍｃ2近傍に亘る範囲内に設けられている。実施形態１の場合、メイン収納部１１ａ1の底部１１ａ12付近から最上段の突起１５ａの上面付近の範囲内に複数の吸込口１１ｂが等間隔で設けられている。なお、複数の吸込口１１ｂは等間隔に設けられることに限定されず、例えば導入路１１ｃ1から遠くなる程密に配置してもよい。
【００２６】
メイン収納部１１ａ1の深い部分の内側の深さ寸法Ｄ（図６参照）は、モップＭの床面拭き材Ｍｃの長手方向の寸法Ｌ（図１０参照）よりも深く設定されている。
さらに詳しくは、モップＭの床面拭き材Ｍｃの長手方向の寸法Ｌは、メイン収納部１１ａ1内に設けられた突起付き吸込口プレート１５の最上段の突起１５ａの高さ寸法Ｈと同等の長さまたは短い長さに設定されている。なお、寸法Ｈよりも僅かに短い長さが好ましい。
これにより、メイン収納部１１ａ1内に収納されたモップＭを上下に動かすことで、床面拭き材Ｍｃの下端部から上端部までが突起付き吸込口プレート１５のいずれかの突起１５ａに接触可能となっている。
【００２７】
図３に示すように、駆動部１０の装着部１１ｆは、筐体１１の前部左側に設けられた直方体形のスペースであり、円形凹部を有する底部１１ｆ1と、底部１１ｆ1の右側の右壁部１１ｆ2と、底部１１ｆ1の後側の後壁部１１ｆ3と、右壁部１１ｆ2に設けられた第１通風口１１ｆ4およびその周囲に設けられたパッキン１１ｆ41と、後壁部１１ｆ3に設けられた第２通風口１１ｆ5およびその周囲に設けられたパッキン１１ｆ51と、第２通風口１１ｆ5の左右両側に設けられた左右一対の係止凹部１１ｆ6とを有する。
装着部１１ｆにダストカップユニット２０が装着されることにより、第１通風口１１ｆ4がダストカップユニット２０の後述の空気流入口２１ａと気密に接続すると共に、第２通風口１１ｆ5がダストカップユニット２０の後述の空気排出口２３ａと気密に接続する。
【００２８】
図５と図６に示すように、メイン収納部１１ａ1に設けられた突起付き吸込口プレート１５の複数の吸込口１１ｂと、装着部１１ｆの第１通風口１１ｆ4とは、第１通風経路１１ｃによって接続されている。
この第１通風経路１１ｃは、第１通風口１１ｆ4を介してダストカップユニット２０（空気流入口２１ａ）と連通可能な導入路１１ｃ1と、複数の吸込口１１ｂが配置された範囲に設けられて複数の吸込口１１ｂと導入路１１ｃ1とを連通させるダクト部１１ｃ2とを有する。
また、導入路１１ｃ1は、ダクト部１１ｃ2の上下方向の中間位置よりも下方に配置されている。なお、導入路１１ｃ1および第１通風口１１ｆ4の高さは、装着部１１ｆに装着されたダストカップユニット２０の後述の空気流入口２１ａの高さと同等である。
【００２９】
駆動部１０において、筐体１１の右側後方位置には電源コード収納部１１ｇが設けられると共に、筐体１１の左側後方位置には電動送風機１２が配置されている。
図７に示すように、電源コード収納部１１ｇは、上方開口部１１ｇ1と、上方開口部１１ｇ1とは反対側に設けられた底部１１ｇ2と、底部１１ｇ2と上方開口部１１ｇ1との間に設けられた内周壁部１１ｇ3とを有する。
内周壁部１１ｇ3は、前後左右の内面を有し、内周壁部１１ｇ3における電動送風機１２と隣接する左内面側の下部には排気口１１ｅ1が設けられると共に、後内面側の上端部には電源コード１４を通す切欠き部１１ｇ31が設けられている。なお、筐体１１の左壁部にも排気口１１ｅ2が設けられている。
【００３０】
筐体１１の内部における電動送風機１２を収納したスペースには、図示しない回路基板が設けられており、この回路基板にリード線を介して電源スイッチ１３が電気的に接続されている。
また、先端部にプラグ１４ａを有する電源コード１４の基端部は、電源コード収納部１１ｇにおける排気口１１ｅ1が設けられた左内面側を貫通して回路基板に電気的に接続されている。
なお、電源コード１４のプラグ１４ａを室内のコンセント（商用電源）に接続した後、電源コード１４の余剰部分を巻いて（束ねて）電源コード収納部１１ｇ内に収納することができる。
【００３１】
図４と図７に示すように、電動送風機１２の下部（排気側）は筐体１１内の底部に固定された支持枠体１６にて支持され、電動送風機１２の上部（吸気側）はカバー部材１７にて覆われている。
カバー部材１７は、電動送風機１２の上部に嵌め込まれるカバー本体部１７ａと、カバー本体部１７ａの内部と連通するダクト部１７ｂとを有し、このダクト部１７ｂは装着部１１ｆの第２通風口１１ｆ5とパッキン１１ｆ51を介して気密に接続されている。
また、カバー本体部１７ａは、筐体１１の上部材１１Ｙの下面と連結板１１Ｙ1によって連結されているため、上部材１１Ｙをカバー部材１７ごと下部材１１Ｘから取り外すことができる。
【００３２】
第２通風経路１１ｄは、装着部１１ｆの第２通風口１１ｆ5と接続されたカバー部材１７の内部である上流側第２通風経路１１ｄ1と、筐体１１の内部における電動送風機１２が収納されたスペースである下流側第２通風経路１１ｄ2とを有し、下流側第２通風経路１１ｄ2が排気口１１ｅ1、１１ｅ2と連通している。
【００３３】
＜集塵部について＞
図１１は実施形態１における集塵部の斜視図である。
図１〜図６および図１１に示すように、実施形態１の場合、集塵部としてサイクロン方式のダストカップユニット２０が用いられている。
このダストカップユニット２０は、前記空気流入口２１ａおよび装着口を有するダストカップ２１と、ダストカップ２１の装着口に着脱可能に装着されるフィルター本体２２ａを有するフィルターユニット２２と、フィルターユニット２２を覆うように着脱可能に取り付けられるフィルターカバー２３と、フィルターカバー２３に取り付けられた連動機構２４とを備える。
【００３４】
ダストカップ２１は、胴部２１ｂと底部２１ｃがヒンジ部２１ｄを介して連結されてなり、底部２１ｃが開いて内部の塵埃を廃棄できるようになっている。また、胴部２１ｂおよび底部２１ｃの外周部におけるヒンジ部２１ｄとは反対側には第１ロック機構２１ｅが設けられており、第１ロック機構２１ｅによって底部２１ｃが閉状態にロックされ、第１ロック機構２１ｅによるロックを解除することにより底部２１ｃが開く。
【００３５】
フィルターユニット２２は、前記フィルター本体２２ａと、フィルター本体２２ａを受けるカップ部２２ｂと、カップ部２２ｂの底部に設けられた孔部と連通する内筒部２２ｃと、内筒部２２ｃの下端部と連結された螺旋羽根２２ｄとを有し、カップ部２２ｂがダストカップ２１の装着口（胴部２１ｂにおける底部２１ｃと反対側の開口部）に嵌り込むことにより内筒部２２ｃがダストカップ２１内に配置される。
【００３６】
内筒部２２ｃは、筒形の内側枠体と、内側枠体の外面に巻かれ固定されたメッシュ部材２２ｃ1と、メッシュ部材２２ｃ1の外周に設けられた筒形の外側枠体２２ｃ2とを有し、内側枠体に対して外側枠体２２ｃ2は回動可能となっている。
フィルターカバー２３は、前記空気排出口２３ａと、空気排出口２３ａの右側に設けられてフィルターユニット２２のカップ部２２ｂの外周部の一部と係脱可能に係止する第２ロック機構２３ｂと、空気排出口２３ａの左側に設けられてフィルターユニット２２のカップ部２２ｂの外周部の一部と連結するヒンジ部２３ｃとを有し、第２ロック機構２３ｂのロックを外すとヒンジ部２３ｃを軸としてフィルターカバー２３がカップ部２２ｂに対して開くように構成されている。
【００３７】
螺旋羽根２２ｄは、内筒部２２ｃの外側枠体２２ｃ2と係脱可能に連結する筒体に羽根が螺旋状に設けられたものであり、所定方向（この場合、平面視時計回り）に回動することによりダストカップ２１内の底部２１ｃに溜まった塵埃を圧縮する機能を有する。
【００３８】
連動機構２４は、フィルターカバー２３に回動軸心を中心に回動可能かつ回動軸心方向に移動可能に取り付けられたハンドル２４ａと、ハンドル２４ａの回動に連動してフィルター本体２２ａの排気側部分と摺接し除塵を行う除塵部２４ｂと、ハンドル２４ａの回動に連動してカップ部２２ｂ内の塵埃を内筒部２２ｃ内へ掻き落とすワイパー部２４ｃと、ハンドル２４ａを引っ張ることにより揺動する一対のロック爪２４ｄと、ハンドル２４ａと連動する第１ギア２４ｅと、除塵部２４ｂと一体回動可能にかつ第１ギア２４ｅと噛合可能に設けられた第２ギア２４ｆとを有する。なお、ワイパー部２４ｃが回動することにより、フィルターユニット２２の内筒部２２ｃの外側枠体が回動し、それによって螺旋羽根２２ｄも回動する。
【００３９】
一対のロック爪２４ｄは、フィルターカバー２３の横から外部へ突出しており、ダストカップユニット２０を駆動部１０の装着部１１ｆに装着することにより装着部１１ｆの一対の係止凹部１１ｆ6に係止し、ハンドル２４ａを引っ張ることにより揺動して係止凹部１１ｆ6から離脱する。
【００４０】
＜集塵装置の動作について＞
図１〜図１１を参照しながら実施形態１の集塵装置１の動作を説明する。
モップＭにて集めた床面上の塵埃を廃棄した後、床掃除に使用したモップＭの床面拭き材Ｍｃに付着した塵埃を次のようにして集塵装置１にて清掃しかつ収納することができる。なお、集塵装置１によるモップＭの床面拭き材Ｍｃの清掃時には、ダストカップユニット２０が駆動部１０に装着されている。このとき、ダストカップユニット２０の空気流入口２１ａおよび空気排出口２３ａは、駆動部１０の装着部１１ｆの第１通風口１１ｆ4および第２通風口１１ｆ5と気密に接続している。
【００４１】
まず、モップＭの第１および第２部材Ｍａ1、Ｍａ2が連結した柄部Ｍａを持って保持プレートＭｂと共に床面拭き材Ｍｃを駆動部１０のメイン収納部１１ａ1内に差し入れる。このとき、保持プレートＭｂの長手方向が第２部材Ｍａ2の長手方向に略平行となるようにする（図１０参照）。
【００４２】
次に、集塵装置１の電源スイッチ１３をＯＮして電動送風機１２を駆動することにより、メイン収納部１１ａ1内の複数の吸込口１１ｂから外気が吸い込まれる（図６の矢印Ａ）。そのため、モップＭの床面拭き材Ｍｃに付着した塵埃は気流によって吹き飛ばされて空気と共に吸込口１１ｂ、通風口１１ａ131、第１通風経路１１ｃおよび第１通風口１１ｆ4を通ってダストカップユニット２０の空気流入口２１ａに流入する。
【００４３】
このとき、ユーザーはモップＭの柄部Ｍａ（第１部材Ｍａ1）を持って上下に動かしながら床面拭き材Ｍｃをメイン収納部１１ａ1内の複数の突起１５ａに擦りつけることにより、床面拭き材Ｍｃに付着した塵埃を効果的に払い落とすことができる。また、床面拭き材Ｍｃを上下に動かして除塵するが、このとき、周囲にある壁面や突起付き吸込口プレート１５が保持プレートＭｂのガイドの役割を果たす。保持プレートＭｂの長手方向が第２部材Ｍａ2の長手方向に略平行となるようになっている。これにより、上下に動かすときに、保持プレートＭｂの傾きが軽減される。よって、先行文献のように左右に動かす場合に柄部が傾いて動かしにくいということがないので、ユーザーの手首に負担がかかりにくく、かつ動作も容易であるため、モップの清掃作業を容易に行うことができる。さらに、第１通風経路１１ｃの導入路１１ｃ1がダクト部１１ｃ2の上下方向の中間位置よりも下方に配置されているため、床面拭き材Ｍｃの上端部Ｍｃ1に吸引力が偏りにくくすることができ、下端部Ｍｃ2にも吸引力をもたせることができるので、床面拭き材Ｍｃから一様に塵埃を除去することができる。
【００４４】
ダストカップユニット２０のダストカップ２１内に流入した塵埃を含む空気は、内筒部２２ｃの周囲を旋回することによって比較的大きい第１の塵埃が空気から分離されてダストカップ２１内に溜まり、第１の塵埃よりも小さい第２の塵埃を含む空気が内筒部２２ｃのメッシュ部材２２ｃ1を通って内筒部２２ｃの内部からカップ部２２ｂ内に流入する（図６の矢印Ｂ）。
【００４５】
カップ部２２ｂ内に第２の塵埃を含む空気が流入すると、第２の塵埃はフィルター本体２２ａにて捕集され、第２の塵埃が除去された空気がフィルター本体２２ａを通過し、さらにカップカバー２３の空気排出口２３ａから駆動部１０の装着部１１ｆの第２通風口１１ｆ5に流入する。
【００４６】
第２通風口１１ｆ5を通過した空気は、上流側第２通風経路１１ｄ1（モータ吸気経路）内に流入し、電動送風機１２を通過して下流側第２通風経路１１ｄ2（モータ排気経路）に流入し、一方の排気口１１ｅ1から電源コード収納部１１ｇを通って外部へ排気され、かつ他方の排気口１１ｅ2からも直接外部へ排気される（図７の矢印Ｃ）。このとき、一方の排気口１１ｅ1から電源コード収納部１１ｇ内に流入した空気は、電源コード収納部１１ｇ内の電源コード１４の余剰部分を冷却することができる。また、室内の壁の隅に集塵装置１が設置されて他方の排気口１１ｅ2が壁によって塞がれてしまう場合であっても、一方の排気口１１ｅ1からの排気が確保されるため問題はない。
【００４７】
このようにしてモップＭの床面拭き材Ｍｃが清掃されれば、電源スイッチ１３を再度押してＯＦＦとし、電動送風機１２を停止させる。
その後、モップＭの柄部Ｍａの第２部材Ｍａ2から第１部材Ｍａ1を引き抜き、第１部材Ｍａ1を駆動部１０のサブ収納部１１ａ2内に差し入れて収納することができる（図１）。このとき、第２部材Ｍａ2側は既にメイン収納部１１ａ1内に収納された状態となっている。
【００４８】
ダストカップユニット２０をメンテナンスする際は、駆動部１０にダストカップユニット２０が装着された状態でハンドル２４ａを所定方向（この場合、時計回り）に回すことにより、除塵部２４ｂがフィルター本体２２ａに摺動して振動を与え、フィルター本体２２ａの吸気側部分に付着した塵埃がカップ部２２ｂ内へ落とされる。また、これと同時に、ワイパー部２４ｃも回動してカップ部２２ｂの底部の塵埃が内筒部２２ｃ内に払い落とされると共に、螺旋羽根２２ｄも回動してダストカップ２１の底部の塵埃が圧縮される。このとき、塵埃の圧縮が限度を超えると、第２ギア２４ｆに対して第１ギア２４ｅが空回りするため、ユーザーはダストカップ２１内の塵埃を廃棄する必要があることに気付く。
【００４９】
ダストカップ２１内の塵埃を廃棄する場合、ダストカップユニット２０のハンドル２４ａを引き上げることにより一対のロック爪２４ｄが駆動部１０の装着部１１ｆの一対の係止凹部１１ｆ6から離脱するため、ダストカップユニット２０を装着部１１ｆから取り外すことができ、ダストカップ２１の底部２１ｃを開くことによって内部の塵埃を廃棄することができる。
【００５０】
（実施形態２）
図１２は実施形態２の集塵装置における突起付き吸込口プレートを示す斜視図である。
実施形態２の集塵装置は、突起付き吸込口プレートの構成が実施形態１とは異なる以外は、実施形態１と同様である。
実施形態２の突起付き吸込口プレート１１５が実施形態１の突起付き吸込口プレート１５と異なる点は、吸込口１１１ｂの長手方向が縦方向（上下方向）である点、上下複数段に設けられた吸込口１１１ｂは、横方向（前後方向）にも複数設けられている点、および各吸込口１１１ｂの上端縁に沿って突起１１５ａが設けられている点である。
【００５１】
実施形態２の突起付き吸込口プレート１１５も、実施形態１と同様に、毛足の短い房糸を有する床面拭き材の除塵に適している。
なお、実施形態２の場合、上下複数段の吸込口１１１ｂは、上の吸込口１１１ｂの真下に下の吸込口１１１ｂが配置されないよう互い違いに位置をずらすことにより、突起付き吸込口プレート１１５に必要な剛性を確保している。
【００５２】
（実施形態３）
図１３は実施形態３の集塵装置における突起付き吸込口プレートを示す斜視図である。
実施形態３の集塵装置も、突起付き吸込口プレートの構成が実施形態１とは異なる以外は、実施形態１と同様である。
実施形態３の突起付き吸込口プレート２１５が実施形態１の突起付き吸込口プレート１５と異なる点は、吸込口２１１ｂの上端縁から下方へ突出する突起２１５ａが櫛歯状に複数設けられた点、および吸込口２１１ｂの上端縁より少し上の位置に横長の隆起部２１５ｂが設けられかつその隆起部２１５ｂにスリット２１５ｃが形成されている点である。
【００５３】
実施形態３の突起付き吸込口プレート２１５は、毛足の長い房糸を有する床面拭き材の除塵に適している。
なお、実施形態３の場合、突起２１５ａの下端部の形状を、図８（Ａ）〜（Ｅ）で示した各種形状から選択することができる。この際、上の段の突起２１５ａの形状と下の段の突起２１５ａの形状を異ならせてもよい。
【００５４】
（実施形態４）
図１４は本発明の実施形態４の集塵装置を斜め左上から視た斜視図であり、図１５は実施形態４の集塵装置を正面から視た縦断面図である。また、図１６は実施形態４の集塵装置における突起付き吸込口プレートを示す斜視図であり、図１６は実施形態４の集塵装置に収納可能なモップの下端部側を示す斜視図である。なお、図１４〜図１７において、図１〜図１１中の要素と同様の要素には同一の符号を付している。
【００５５】
図１４〜図１６に示すように、実施形態４の集塵装置３０１が実施形態１と異なる点は、駆動部３１０に設けられた突起付き吸込口プレート３１５の構成およびその取り付け構造であり、実施形態４におけるその他の構成は実施形態１と概ね同様である。以下、実施形態４における実施形態１とは異なる点を主に説明する。
【００５６】
実施形態４の集塵装置３０１において、モップ収納部３１１ａは、メイン収納部３１１ａ1と、実施形態１と同様のサブ収納部１１ａ2とを有する。
メイン収納部３１１ａ1は、実施形態１よりも前後寸法が短い平面視Ｔ形の上方開口状のモップ挿入口３１１ａ11と、モップ挿入口３１１ａ11とは反対側に設けられた底部１１ａ12と、底部１１ａ12とモップ挿入口１１ａ11との間に設けられた内周壁部３１１ａ13と、内周壁部３１１ａ13の一部に設けられた段部１１ａ14とを有する。
【００５７】
また、メイン収納部３１１ａ1は、後述するモップの保持バーＭｘｂおよび床面拭き材Ｍｘｃを収納可能な深い部分と、モップＭｘの柄部の第２部材Ｍｘａ2を収納可能な浅い部分（段部１１ａ14側の部分）とを有する。なお、メイン収納部３１１ａ1の深い部分は内周壁部３１１ａ13の前面、左面、後面、後方右面および前方右面によって包囲され、メイン収納部１１ａ1の浅い部分は内周壁部３１１ａ13の前面、右面および後面によって包囲されている。
【００５８】
ここで、モップ収納部３１１ａに収納可能なモップについて説明する。図１７は実施形態４の集塵装置に収納可能なモップの下端部側を示す斜視図である。
図１７に示すように、実施形態４の場合、モップの保持バーＭｘｂは、第２部材Ｍａ2が前後左右に揺動可能に連結する面に長手方向に延びる半円形凹溝Ｍｘｂ1を有すると共に、半円形凹溝Ｍｘｂ1とは反対側には、床面と対向する主面Ｍｘｂ2と、主面Ｍｘｂ2から滑らかな曲面Ｍｘｂ3を介して垂直方向に立ち上がる前後端面Ｍｘｂ4とを有する。
【００５９】
床面拭き材Ｍｘｃは、実施形態１の床面拭き材Ｍｃと同様の素材からなり、保持バーＭｘｂの主面Ｍｘｂ2および前後端面Ｍｘｂ4に沿って湾曲している。
この床面拭き材Ｍｘｃによれば、保持バーＭｘｂの主面Ｍｘｂ2に沿った平坦面Ｍｘｃ1、湾曲面Ｍｘｂ3に沿った湾曲面Ｍｘｃ2、および前後端面Ｍｘｂ4に沿った垂直面Ｍｘｃ3にて立体的に清掃することができる。したがって、広い床面の清掃のみならず、壁と家具または冷蔵庫との狭い床面部分の清掃にも対応することができる。この床面拭き材Ｍｘｃは、床面掃除用に限定されるものではなく、壁面や天井等を拭き掃除する場合にも使用可能である。なお、駆動部３１０のメイン収納部３１１ａ1に収納する際は、図１７に示すように第２部材Ｍａ2を保持バーＭｘｂの半円形凹溝Ｍｘｂ1に沿わせた状態に折り畳む。
【００６０】
図１５に示すように、駆動部３１０のメイン収納部３１１ａ1内にモップの保持バーＭｘｂが収納された状態において、床面拭き材Ｍｘｃと対向するメイン収納部３１１ａ1の内周壁部３１１ａ13の三面、すなわち前面、左面および後面には上下複数段の通風口３１１ａ131が設けられている。
【００６１】
また、実施形態４の場合、駆動部３１０の第１通風経路３１１ｃを構成するダクト部３１１ｃ2は、メイン収納部３１１ａ1の内周壁部３１１ａ13の前面、左面および後面に形成された上下複数段の通風口３１１ａ131の排気側を覆う形状に形成されている。
【００６２】
さらに、この上下複数段の通風口３１１ａ131が設けられた内周壁部３１１ａ13の内側には、図１６に示す上下複数段の吸込口３１１ｂおよび突起３１５ａを有する突起付き吸込口プレート３１５が設けられている（図１６参照）。
【００６３】
この突起付き吸込口プレート３１５は、例えば、金属プレートを金型にて所定形状に打ち抜いて複数の横長の吸込口３１１ｂを三列形成し、次いで各吸込口１１ｂの下端縁を直角に折り曲げて細い板状の突起３１５ａを形成し、その後、金属プレートの各列の吸込口３１１ｂの間を直角に内側に折り曲げることにより製造することができる。あるいは、樹脂の射出成型により製造することができる。この際、実施形態１と同様に、突起３１５ａの先端形状を半球形（図８（Ａ））、矩形（図８（Ｂ））、角部が丸い矩形（図８（Ｃ））、三角形（図８（Ｄ））および頂部が丸い三角形（図８（Ｅ））に形成することができる。
【００６４】
このように製造された突起付き吸込口プレート３１５は、メイン収納部３１１ａ1内に収納されたモップの床面拭き材Ｍｘｃの平坦面Ｍｘｃ1と対向する左面３１５ｆ1と、前後端面Ｍｘｂ4と対向する前面３１５ｆ2および後面３１５ｆ3を有し、左面３１５ｆ1、前面３１５ｆ2および後面３１５ｆ3から複数の突起３１５ａが内側に突出している。
【００６５】
したがって、モップの床面拭き材Ｍｘｃを清掃する際は、三方から突出する突起３１５ａに、モップを上下に移動させながらモップの床面拭き材Ｍｘｃの平坦面Ｍｘｃ1、湾曲面Ｍｘｃ2および垂直面Ｍｘｃ3の三面を擦りつけて効率よく除塵することができる。
【００６６】
（他の実施形態）
１．実施形態１〜４では、モップ収納部のメイン収納部内に別部品である突起付き吸込口プレートを設けた場合を例示したが、突起付き吸込口プレートを省略し、メイン収納部の内周壁部の上下複数段の通風口１１ａ131を吸込口とし、かつ各通風口１１ａ131の近傍に突起を形成してもよい。
【００６７】
２．実施形態１〜４では、モップ収納部のメイン収納部内の複数の吸込口の近傍に突起を設けた場合を例示したが、吸込口の縁にモップの床面拭き材を擦りつけることができるため突起は省略してもよい。なお、突起を設けた方が床面拭き材の除塵を効率的に行うことができる。
【００６８】
３．実施形態１および４では、サイクロン方式のダストカップユニットを集塵部として用いた場合を例示したが、紙パック方式の集塵部を用いてもよい。この場合、装着部１１ｆの代わりに、第１および第２通風口１１ｆ4、１１ｆ5を内部に有する紙パック収納部を設け、紙パック収納部内の第１風通口１１ｆ4に紙パックを着脱可能に接続する。また、紙パック収納部に開閉可能な蓋部を設け、蓋部を開いて塵埃が溜まった紙パックを取り出して廃棄できるようにする。
【００６９】
４．実施形態１および４では、駆動部１０の筐体１１における電源コード収納部１１ｇおよび外周壁に排気口１１ｅ1、１１ｅ2を設けた場合を例示したが、外周壁側の排気口１１ｅ2を省略してもよい。
【００７０】
５．実施形態１および４では、メイン収納部１１ａ1およびサブ収納部１１ａ2を有するモップ収納部１１ａを駆動部１０に設けた場合を例示したが、サブ収納部１１ａ2を省略してもよい。
【００７１】
（まとめ）
本発明の集塵装置は、柄部の基端に拭き材を有するモップを起立状態で収納可能なモップ収納部と、前記モップ収納部内に収納されたモップの拭き材と対向するように設けられた吸込口と、前記吸込口と第１通風経路を介して連通する集塵部と、前記集塵部と第２通風経路を介して連通する排気口と、前記第２通風経路に設けられた電動送風機とを備え、
前記モップ収納部は、上方開口状のモップ挿入口と、前記モップ挿入口とは反対側に設けられた底部と、前記底部と前記モップ挿入口との間に設けられた内周壁部とを有し、
前記内周壁部に前記吸込口が設けられている。
【００７２】
本発明の集塵装置は、次のように構成されてもよく、それらが適宜組み合わされてもよい。
（１）前記モップ収納部は、前記モップの前記拭き材の長手方向の寸法よりも深い深さ寸法を有するものであってもよい。
この構成によれば、拭き材をその長手方向が縦向き（上下方向）となるようにしてモップをモップ収納部内へ収納することが可能となるため、横方向（水平方向）の寸法が短いコンパクトな集塵装置を得ることができると共に、集塵装置の設置スペースの省スペース化を図ることができる。
【００７３】
（２）前記吸込口は、前記モップ収納部内に収納された前記モップの前記拭き材の上端部近傍から下端部近傍に亘る範囲内に設けられており、
前記第１通風経路は、前記集塵装置と連通可能な導入路と、前記範囲に設けられた前記吸込口と前記導入路とを連通させるダクト部とを有し、
前記導入路は、前記ダクト部の上下方向の中間位置よりも下方に配置されてもよい。
この構成によれば、拭き材をその長手方向が縦向き（上下方向）となるようにしてモップをモップ収納部内へ収納し、電動送風機を駆動しながらモップを上下に揺さぶって拭き材から塵埃を払い落とす際、モップ挿入口から吸込口に向かって空気が流れる。そのため、ダクト部の上下方向の中間位置よりも下方に導入路を配置することにより、拭き材の上端部に吸引力が偏りにくくすることができ、下端部にも吸引力を持たせることができるので、拭き材から一様に塵埃を除去することができる。
【００７４】
（３）前記内周壁部が、複数の方向に面する複数の内面を有し、
前記吸込口が、前記複数の内面にそれぞれ設けられてもよい。
この構成によれば、モップの拭き材に付着した塵埃を複数の方向から吸引して除塵することが可能となる。したがって、例えば、拭き材の床面に接する主面と、主面の前後両側の前後端面に付着した塵埃を効率よく除塵することができる。
【００７５】
（４）前記モップ収納部内に収納された前記モップの前記拭き材に擦りつけられて前記拭き材に付着した塵埃を払い落とす複数の突起が、前記吸込口の近傍に設けられてもよい。
この構成によれば、拭き材を複数の突起に擦りつけることにより、拭き材に付着した塵埃を効果的に払い落とすことができる。
【００７６】
（５）前記電動送風機に商用電源からの電力を供給する電源コードと、前記電源コードを外部に引き出し可能に収納する電源コード収納部とをさらに備え、
前記電源コード収納部は、上方開口部と、前記上方開口部とは反対側に設けられた底部と、前記底部と前記上方開口部との間に設けられた内周壁部とを有し、
前記内周壁部に前記排気口が設けられてもよい。
【００７７】
この構成によれば、集塵装置を室内の壁際に設置しても排気口が壁によって塞がれず、排気口からモップ収納部内を通過してモップ挿入口から外部へ排気することができるため、排気口が塞がれることによって電動送風機が故障するといった不具合を回避することができる。また、余剰の電源コードを電源コード収納部内に収納して集塵装置周辺をすっきりさせることができ、かつ電源コード収納部内の巻き取られた（束ねられた）余剰の電源コードは熱をもちやすいため排気口からの排気によって冷却することができ好都合である。
【００７８】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００７９】
１、３０１  集塵装置
１１ａ  モップ収納部
１１ａ11  モップ挿入口
１１ａ12  底部
１１ａ13  内周壁部
１１ｂ  吸込口と
１１ｃ  第１通風経路
１１ｃ1  導入路
１１ｃ2  ダクト部
１１ｄ  第２通風経路
１１ｅ1、１１ｅ2  排気口
１１ｇ  電源コード収納部
１１ｇ1  上方開口部
１１ｇ2  底部
１１ｇ3  内周壁部
１２  電動送風機
１４  電源コード
１５ａ、１１５ａ、２１５ａ、３１５ａ  突起
２０  ダストカップユニット（集塵部）
Ｄ  深さ寸法
Ｌ  床面拭き材の長手方向の寸法
Ｍ  モップ
Ｍａ  柄部
Ｍｃ  床面拭き材（拭き材）
Ｍｃ1  上端部
Ｍｃ2  下端部
【図１】
2020014802.tif 000003
【図２】
2020014802.tif 000004
【図３】
2020014802.tif 000005
【図４】
2020014802.tif 000006
【図５】
2020014802.tif 000007
【図６】
2020014802.tif 000008
【図７】
2020014802.tif 000009
【図８】
2020014802.tif 000010
【図９】
2020014802.tif 000011
【図１０】
2020014802.tif 000012
【図１１】
2020014802.tif 000013
【図１２】
2020014802.tif 000014
【図１３】
2020014802.tif 000015
【図１４】
2020014802.tif 000016
【図１５】
2020014802.tif 000017
【図１６】
2020014802.tif 000018
【図１７】
2020014802.tif 000019